(57)【要約】【課題】一部の通信の使用が制限される場所において、通信機器に対し、使用が制限される通信を自動的に制御すること。【解決手段】通信制御システム１は、通信制御装置１００と通信機器２００とを備え、通信制御装置１００は、通信制御エリアで使用可能な通信回線を介した通信を行う装置通信部１１０と、通信制御エリア内で装置通信部１１０と接続を確立した通信機器２００に、通信制御エリア内で使用が制限される通信回線を介した通信を停止させる停止信号を、装置通信部１１０を介して送信する通信制御管理部１２０と、を備え、通信機器２００が、通信制御エリアで使用可能な通信回線を介した通信と通信制御エリアで使用が制限される通信回線を介した通信とを行う機器通信部２１０と、機器通信部２１０を介して停止信号を受信したことに応じて、機器通信部２１０における使用が制限される通信回線を介した通信を停止する通信制御実行部２２０と、を備える。【選択図】図１
2015088791.tif 000002
【特許請求の範囲】
【請求項１】
通信機器と、当該通信機器の通信を制御する通信制御装置と、を備える通信制御システムであって、
前記通信制御装置が、
通信制御エリアで使用可能な通信回線を介した通信を行う装置通信手段と、
前記通信制御エリア内にあって、前記装置通信手段と接続を確立した前記通信機器に、当該通信制御エリア内で使用が制限される通信回線を介した通信を停止させる停止信号を、前記装置通信手段を介して送信する通信制御管理手段と、
を備え、
前記通信機器が、
前記通信制御エリアで使用可能な通信回線を介した通信と、当該通信制御エリアで使用が制限される通信回線を介した通信と、を行う機器通信手段と、
前記機器通信手段を介して、前記通信制御装置から前記停止信号を受信したことに応じて、当該機器通信手段における前記使用が制限される通信回線を介した通信を停止する通信制御実行手段と、
を備えることを特徴とする通信制御システム。
【請求項２】
前記通信制御管理手段が、前記停止信号とともに、前記通信制御エリアの位置情報を、前記装置通信手段を介して送信し、
前記通信制御実行手段が、前記通信制御装置から受信した前記通信制御エリアの位置情報と、自機器の位置情報とに基づいて、当該自機器が当該通信制御エリアの外にあると判断した場合に、前記機器通信手段における前記使用が制限される通信回線を介した通信の停止を解除することを特徴とする請求項１に記載の通信制御システム。
【請求項３】
前記通信制御実行手段が、前記機器通信手段における前記使用可能な通信回線を介して、前記機器通信手段における前記使用が制限される通信回線を介した通信の停止を解除するユーザからの解除指示と、自機器の位置情報とを、前記通信制御装置に通知して、前記解除指示の許可を当該通信制御装置から受信した場合に、前記機器通信手段における前記使用が制限される通信回線を介した通信の停止を解除し、
前記通信制御管理手段が、前記装置通信手段を介して、前記通信機器から前記解除指示と当該通信機器の位置情報とを受信したことに応じて、保持している前記通信制御エリアの位置情報と受信した通信機器の位置情報とに基づいて、当該通信機器が当該通信制御エリアの外にあると判断した場合に、前記解除指示の許可を、前記通信機器に通知することを特徴とする請求項１に記載の通信制御システム。
【請求項４】
前記通信制御実行手段が、前記機器通信手段における前記使用が制御される通信回線を介した通信を停止したことに応じて、当該機器通信手段における前記使用可能な通信回線を介して、前記通信制御装置に前記使用が制御される通信回線を介した通信を停止した旨を通知し、
前記通信制御管理手段が、前記通信機器から前記通知を受信するまで、当該通信機器に、前記停止信号を、前記装置通信手段を介して送信することを特徴とする請求項１から請求項３のいずれかに記載の通信制御システム。
【請求項５】
前記通信制御管理手段が、前記通信機器から前記通知を受信したことに応じて、前記通信機器のインターネット接続を確立することを特徴とする請求項４に記載の通信制御システム。
【請求項６】
通信を制御する通信制御装置と接続された通信機器であって、
通信制御エリアで使用可能な通信回線を介した通信と、当該通信制御エリアで使用が制限される通信回線を介した通信と、を行う機器通信手段と、
前記使用可能な通信回線を介して、前記使用が制限される通信回線を介した通信を停止させる停止信号を、前記通信制御装置から受信したことに応じて、前記機器通信手段における前記使用が制限される通信回線を介した通信を停止する通信制御実行手段と、
を備えることを特徴とする通信機器。
【請求項７】
通信制御エリアで使用可能な通信回線を介した通信と、当該通信制御エリアで使用が制限される通信回線を介した通信とを行う通信機器、および当該通信制御エリアで使用可能な通信回線を介した通信を行う通信制御装置、を備える通信制御システムにおける通信制御方法であって、
前記通信制御装置が、前記通信制御エリア内にある前記通信機器と、前記通信制御エリアで使用可能な通信回線を介した通信による接続を確立する第１のステップと、
前記通信制御装置が、前記第１のステップで接続を確立した前記通信機器に、当該通信制御エリア内で使用が制限される通信回線を介した通信を停止させる停止信号を送信する第２のステップと、
前記通信機器が、前記通信制御装置から前記停止信号を受信したことに応じて、前記使用が制限される通信回線を介した通信を停止する第３のステップと、
を含む通信制御方法。
【請求項８】
通信制御エリアで使用可能な通信回線を介した通信と、当該通信制御エリアで使用が制限される通信回線を介した通信とを行う通信機器、および当該通信制御エリアで使用可能な通信回線を介した通信を行う通信制御装置、を備える通信制御システムにおける通信制御方法をコンピュータに実行させるプログラムであって、
前記通信制御装置が、前記通信制御エリア内にある前記通信機器と、前記通信制御エリアで使用可能な通信回線を介した通信による接続を確立する第１のステップと、
前記通信制御装置が、前記第１のステップで接続を確立した前記通信機器に、当該通信制御エリア内で使用が制限される通信回線を介した通信を停止させる停止信号を送信する第２のステップと、
前記通信機器が、前記通信制御装置から前記停止信号を受信したことに応じて、前記使用が制限される通信回線を介した通信を停止する第３のステップと、
をコンピュータに実行させるプログラム。
【発明の詳細な説明】
【技術分野】
【０００１】
本発明は、通信機器が備える通信機能を制御する通信制御システム、通信機器、通信制御方法、およびプログラムに関する。
【背景技術】
【０００２】
病院、航空機内、映画館等、携帯電話機が備える一部の通信機能、例えば、通話機能やパケット通信機能、の使用が制限される場所では、携帯電話機の電源を切ることや、電波の入らない設定にすることが呼びかけられている。一方、携帯電話機の電源を切ることや電波の入らない設定にすることは、携帯電話機のユーザにまかされている。そのため、携帯電話機が備える一部の通信機能の使用が制限される場所で、携帯電話機の電源を切る操作や、電波の入らない設定に変更する操作はユーザが行うために、使用が制限されている通信機能の停止が徹底されているとは限らないという問題点があった。
【０００３】
そこで、通話機能やパケット通信機能を制限するといった携帯電話機の動作設定を決定する情報を携帯電話機に送信する無線タグを、携帯電話機が備える一部の通信機能の使用が制限される場所に設置することにより、携帯電話機が備える一部の通信機能の使用が制限される場所で、使用が制限されている通信機能の停止を自動的に確実に行う技術が提案されている（例えば、特許文献１参照）。
【先行技術文献】
【特許文献】
【０００４】
【特許文献１】特開２００７−０２７８８７号公報
【発明の概要】
【発明が解決しようとする課題】
【０００５】
しかしながら、特許文献１に記載の技術では、携帯電話機が備える一部の通信機能の使用が制限される場所内に複数の無線タグを配置する必要があるという問題点があった。また、携帯電話機が無線タグの読み取り機能を備えていなければならないという問題点があった。
【０００６】
そこで、上記課題に鑑みて、本発明では、通信機器が備える一部の通信機能の使用が制限される場所において、通信機器に対し、使用が制限される通信機能を自動的に制御する通信制御システム、通信機器、通信制御方法、およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）  本発明は、通信機器（例えば、図１の通信機器２００）と、当該通信機器の通信を制御する通信制御装置（例えば、図１の通信制御装置１００）と、を備える通信制御システムであって、前記通信制御装置が、通信制御エリアで使用可能な通信回線を介した通信を行う装置通信手段（例えば、図１の装置通信部１１０）と、前記通信制御エリア内にあって、前記装置通信手段と接続を確立した前記通信機器に、当該通信制御エリア内で使用が制限される通信回線を介した通信を停止させる停止信号を、前記装置通信手段を介して送信する通信制御管理手段（例えば、図１の通信制御管理部１２０）と、を備え、前記通信機器が、前記通信制御エリアで使用可能な通信回線を介した通信と、当該通信制御エリアで使用が制限される通信回線を介した通信と、を行う機器通信手段（例えば、図１の機器通信部２１０）と、前記機器通信手段を介して、前記通信制御装置から前記停止信号を受信したことに応じて、当該機器通信手段における前記使用が制限される通信回線を介した通信を停止する通信制御実行手段（例えば、図１の通信制御実行部２２０）と、を備えることを特徴とする通信制御システムを提案している。
【０００９】
（２）  本発明は、（１）の通信制御システムについて、前記通信制御管理手段が、前記停止信号とともに、前記通信制御エリアの位置情報を、前記装置通信手段を介して送信し、前記通信制御実行手段が、前記通信制御装置から受信した前記通信制御エリアの位置情報と、自機器の位置情報とに基づいて、当該自機器が当該通信制御エリアの外にあると判断した場合に、前記機器通信手段における前記使用が制限される通信回線を介した通信の停止を解除することを特徴とする通信制御システムを提案している。
【００１０】
（３）  本発明は、（１）の通信制御システムについて、前記通信制御実行手段が、前記機器通信手段における前記使用可能な通信回線を介して、前記機器通信手段における前記使用が制限される通信回線を介した通信の停止を解除するユーザからの解除指示と、自機器の位置情報とを、前記通信制御装置に通知して、前記解除指示の許可を当該通信制御装置から受信した場合に、前記機器通信手段における前記使用が制限される通信回線を介した通信の停止を解除し、前記通信制御管理手段が、前記装置通信手段を介して、前記通信機器から前記解除指示と当該通信機器の位置情報とを受信したことに応じて、保持している前記通信制御エリアの位置情報と受信した通信機器の位置情報とに基づいて、当該通信機器が当該通信制御エリアの外にあると判断した場合に、前記解除指示の許可を、前記通信機器に通知することを特徴とする通信制御システムを提案している。
【００１１】
（４）  本発明は、（１）から（３）の通信制御システムについて、前記通信制御実行手段が、前記機器通信手段における前記使用が制御される通信回線を介した通信を停止したことに応じて、当該機器通信手段における前記使用可能な通信回線を介して、前記通信制御装置に前記使用が制御される通信回線を介した通信を停止した旨を通知し、前記通信制御管理手段が、前記通信機器から前記通知を受信するまで、当該通信機器に、前記停止信号を、前記装置通信手段を介して送信することを特徴とする通信制御システムを提案している。
【００１２】
（５）  本発明は、（４）の通信制御システムについて、前記通信制御管理手段が、前記通信機器から前記通知を受信したことに応じて、前記通信機器のインターネット接続を確立することを特徴とする通信制御システムを提案している。
【００１３】
（６）  本発明は、通信を制御する通信制御装置（例えば、図１の通信制御装置１００）と接続された通信機器（例えば、図１の通信機器２００）であって、前記通信制御エリアで使用可能な通信回線を介した通信と、当該通信制御エリアで使用が制限される通信回線を介した通信と、を行う機器通信手段（例えば、図１の機器通信部２１０）と、前記使用可能な通信回線を介して、前記使用が制限される通信回線を介した通信を停止させる停止信号を、前記通信制御装置から受信したことに応じて、前記機器通信手段における前記使用が制限される通信回線を介した通信を停止する通信制御実行手段（例えば、図１の通信制御実行部２２０）と、を備えることを特徴とする通信機器を提案している。
【００１４】
（７）  本発明は、通信制御エリアで使用可能な通信回線を介した通信と、当該通信制御エリアで使用が制限される通信回線を介した通信とを行う通信機器、および当該通信制御エリアで使用可能な通信回線を介した通信を行う通信制御装置、を備える通信制御システムにおける通信制御方法であって、前記通信制御装置が、前記通信制御エリア内にある前記通信機器と、前記通信制御エリアで使用可能な通信回線を介した通信による接続を確立する第１のステップ（例えば、図３のステップＳ１）と、前記通信制御装置が、前記第１のステップで接続を確立した前記通信機器に、当該通信制御エリア内で使用が制限される通信回線を介した通信を停止させる停止信号を送信する第２のステップ（例えば、図３のステップＳ２）と、前記通信機器が、前記通信制御装置から前記停止信号を受信したことに応じて、前記使用が制限される通信回線を介した通信を停止する第３のステップ（例えば、図３のステップＳ３）と、を含む通信制御方法を提案している。
【００１５】
（８）  本発明は、通信制御エリアで使用可能な通信回線を介した通信と、当該通信制御エリアで使用が制限される通信回線を介した通信とを行う通信機器、および当該通信制御エリアで使用可能な通信回線を介した通信を行う通信制御装置、を備える通信制御システムにおける通信制御方法をコンピュータに実行させるプログラムであって、前記通信制御装置が、前記通信制御エリア内にある前記通信機器と、前記通信制御エリアで使用可能な通信回線を介した通信による接続を確立する第１のステップ（例えば、図３のステップＳ１）と、前記通信制御装置が、前記第１のステップで接続を確立した前記通信機器に、当該通信制御エリア内で使用が制限される通信回線を介した通信を停止させる停止信号を送信する第２のステップ（例えば、図３のステップＳ２）と、前記通信機器が、前記通信制御装置から前記停止信号を受信したことに応じて、前記使用が制限される通信回線を介した通信を停止する第３のステップ（例えば、図３のステップＳ３）と、をコンピュータに実行させるプログラムを提案している。
【発明の効果】
【００１６】
本発明によれば、通信機器が備える一部の通信機能の使用が制限される場所において、通信機器に対し、使用が制限される通信機能を自動的に制御することができる。
【図面の簡単な説明】
【００１７】
【図１】本発明に係る通信制御システムの構成を示す図である。
【図２】本発明に係る通信制御エリアの位置情報および通信機器の位置情報の一例を示す図である。
【図３】本発明に係る通信制御システムにおける通信停止処理フローを示す図である。
【図４】本発明に係る通信制御システムにおける通信再開処理フローを示す図である。
【発明を実施するための形態】
【００１８】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００１９】
＜通信制御システムの構成＞
図１は、本発明に係る通信制御システム１の構成を示す図である。通信制御システム１は、通信制御エリアにおいて、一部の通信機能、本実施形態においては、電波を使用する通信機能を制御するシステムであって、通信制御装置１００と、通信機器２００とを備える。なお、通信制御システム１は、Ｗｉ−Ｆｉ（登録商標）やＢｌｕｅｔｏｏｔｈ（登録商標）等の無線ＬＡＮや近距離無線通信を使用する通信機能等を制御することもできる。ここで、通信制御エリアは、病院、飛行機内、映画館等、電波を利用する通信機能の使用が制限される場所である。
【００２０】
本実施形態において、通信機器２００は、通信制御エリア内にあるとし、１台であっても複数台であってもよい。なお、図１において、実線はデータの流れを表し、点線は、電力の流れを表す。
【００２１】
通信制御装置１００は、通信機器２００が備える、電波を使用する通信機能を制御する装置であって、装置通信部１１０、通信制御管理部１２０、および受送電部１３０を備える。なお、通信制御装置１００は、通信制御エリアに少なくとも１つ設置されていればよい。
【００２２】
装置通信部１１０は、通信制御エリアで使用可能な通信回線を介した通信を行う。ここで、通信制御エリアで使用可能な通信回線とは、ＵＳＢ接続の有線ＬＡＮや、電波出力が比較的小さく病院内等で使用が許可されているＷｉ−ＦｉやＢｌｕｅｔｏｏｔｈ等の無線ＬＡＮや近距離無線通信による通信を行う。また、装置通信部１１０は、ブロードバンドルータを介してインターネットと通信を行う。
【００２３】
通信制御管理部１２０は、通信制御エリア内にあって、装置通信部１１０と接続を確立した通信機器２００に、通信制御エリア内で使用が制限される通信回線を介した通信を停止させる停止信号を、装置通信部１１０を介して送信する。具体的には、通信制御管理部１２０は、まず、接続の確立を要求、例えば、ハンドシェイクのＳＹＮパケットを、通信制御エリア内にある通信機器２００に装置通信部１１０を介して送信する。次に、通信制御管理部１２０は、接続を確立した通信機器２００に停止信号を送信する。
【００２４】
通信制御管理部１２０は、通信機器２００から使用が制限される通信回線を介した通信を停止した旨の通知を受信することができる。使用が制限される通信回線を介した通信を停止した旨の通信機器２００からの通知は、例えば、ハンドシェイクのＡＣＫパケットとして受信する。通信機器２００から使用が制限される通信回線を介した通信を停止した旨の通知を受信する場合には、通信制御管理部１２０は、通知を受信するまで繰り返して停止信号を送る。それにより、通信制御エリア内の通信機器２００について、使用が制限される通信回線を介した通信を漏れなく停止させることができる。
【００２５】
通信制御管理部１２０は、通信機器２００から使用が制限される通信回線を介した通信を停止した旨の通知を受信したことに応じて、通信制御装置１００を介した通信機器２００のインターネット接続を確立する。なお、通信機器２００が、通信機器２００から使用が制限される通信回線を介した通信を停止した旨の通知とは別に、インターネット接続要求を送信する場合には、通信制御管理部１２０は、インターネット接続要求を受信したことに応じて、通信制御装置１００を介した通信機器２００のインターネット接続を確立する。それにより、通信機器２００は、通信制御エリアで使用可能な通信回線を介して、インターネット接続が可能となる。
【００２６】
通信制御管理部１２０は、予め保持している通信制御エリアの位置情報を、停止信号とともに送信してもよい。通信制御エリアの位置情報は、例えば、緯度経度で表される。
【００２７】
受送電部１３０は、通信制御装置１００の充電部（図示せず）や電源部（図示せず）から受電した交流電力を整流器により変換した直流電力を、充電部２３０に送信する。装置通信部１１０がＵＳＢ接続の有線ＬＡＮ通信で機器通信部２１０と通信信号の送受信が可能となると、直流電力は、ＵＳＢ接続の有線ＬＡＮ通信と同じケーブルを介して、受送電部１３０から充電部２３０に送信される。また、通信機器２００から使用が制限される通信回線を介した通信を停止した旨の通知を、通信制御管理部１２０が受信したことに応じて、直流電流は、ＵＳＢ接続の有線ＬＡＮ通信と同じケーブルを介して、受送電部１３０から充電部２３０に送信されてもよい。
【００２８】
通信機器２００は、携帯電話機、スマートフォン、タブレット端末等といった、複数の通信機能を備えた携帯端末であって、機器通信部２１０、通信制御実行部２２０、および充電部２３０を備える。
【００２９】
機器通信部２１０は、通信制御エリアで使用可能な通信回線および通信制御エリアで使用が制限される通信回線を介した通信を行う。ここで、通信制御エリアで使用が制限される通信回線は、電波出力が大きく、病院内等で使用が許可されていない、例えば、携帯電話機用電波回線やスマートフォン用電波回線である。
【００３０】
通信制御実行部２２０は、通信制御エリアで使用可能な通信回線および機器通信部２１０を介して、通信制御装置１００から停止信号を受信したことに応じて、機器通信部２１０の使用が制限される通信回線を介した通信を停止する。通信制御実行部２２０は、通信制御エリアで使用が制限される通信回線を介した通信を停止したことに応じて、ユーザにその旨を、例えば、画面に、「電波オフモードに変更」や「圏外」を表示することで、通知する。
【００３１】
通信制御実行部２２０は、通信制御エリアで使用が制限される通信回線を介した通信を停止したことに応じて、通信制御装置１００にその旨を通知してもよい。また、通信制御実行部２２０は、通信制御エリアで使用が制限される通信回線を介した通信を停止した旨の通知と別に、インターネット接続要求を送信してもよい。
【００３２】
通信制御実行部２２０は、通信制御装置１００から通信制御エリアの位置情報を受信した場合には、通信機器２００の記憶部（図示せず）に記憶しておく。そして、通信制御実行部２２０は、ユーザが、使用が制限される通信回線を介した通信の停止を解除する操作を行ったことに応じて、通信制御装置１００から受信した通信制御エリアの位置情報と、通信機器２００の位置情報とに基づいて、通信機器２００が通信制御エリア外にあるか否かを判断する。
【００３３】
通信制御エリアの位置情報、および通信機器２００の位置情報の一例を示した図２を用いて具体的に説明すると、通信機器２００の位置情報が図２（ａ）である場合には、緯度・経度ともに通信制御エリアの位置情報に含まれているので、通信制御実行部２２０は、通信機器２００が通信制御エリア内にあると判断する。一方、通信機器２００の位置情報が図２（ｂ）である場合には、緯度は通信制御エリアの位置情報に含まれているが経度が通信制御エリアの位置情報に含まれていないので、通信制御実行部２２０は、通信機器２００が通信制御エリア外にあると判断する。
【００３４】
通信制御実行部２２０は、通信機器２００が通信制御エリア外にあると判断した場合には、通信制御実行部２２０は使用が制限される通信回線を介した通信の停止を解除し、一方、通信機器２００が通信制御エリア内にあると判断した場合には、通信制御実行部２２０は使用が制限される通信回線を介した通信の停止を解除しない。通信制御実行部２２０は使用が制限される通信回線を介した通信の停止を解除しない場合には、使用が制限される通信回線を介した通信の停止を解除できない旨や、通信制御エリア外で操作を行うようにユーザに通知してもよい。
【００３５】
ここで、通信機器２００の位置情報は、通信機器２００に搭載されたＧＰＳ機能や、通信制御エリアでＷｉ−ＦｉやＢｌｕｅｔｏｏｔｈ等の無線ＬＡＮや近距離無線通信が使用できる場合にはこれらを用いて取得する。
【００３６】
通信制御実行部２２０は、通信制御装置１００から通信制御エリアの位置情報を受信しない場合には、ユーザが、使用が制限される通信回線を介した通信の停止を解除する解除指示を行ったことに応じて、解除指示と通信機器２００の位置情報とを通信制御装置１００に通知する。
【００３７】
次に、通信制御装置１００の通信制御管理部１２０が、解除操作の通知と通信機器２００の位置情報とを受信したことに応じて、保持している通信制御エリアの位置情報と受信した通信機器２００の位置情報とに基づいて、通信機器２００が通信制御エリア外にあるか否かを判断する。通信制御装置１００の通信制御管理部１２０が、通信機器２００が通信制御エリア外にあると判断した場合には、解除指示の許可を、通信機器２００に通知する。一方、通信制御装置１００の通信制御管理部１２０が、通信機器２００が通信制御エリア内にあると判断した場合には、解除指示の不許可を、通信機器２００に通知する。
【００３８】
通信制御実行部２２０は、解除指示の許可を通信制御装置１００から受信した場合に、機器通信部２１０における使用が制限される通信回線を介した通信の停止を解除する。一方、通信制御実行部２２０は、解除指示の不許可を通信制御装置１００から受信した場合に、機器通信部２１０における使用が制限される通信回線を介した通信の停止を解除しない。この時、使用が制限される通信回線を介した通信の停止を解除できない旨や、通信制御エリア外で操作を行うようにユーザに通知してもよい。
【００３９】
以上のように、通信制御エリアの位置情報と通信機器２００の位置情報とを用いることにより、通信制御エリア内で、ユーザ操作により、使用が制御される通信回線を介した通信の停止が解除されることを防ぐことができる。
【００４０】
また、通信制御実行部２２０は、インターネット接続を確立している場合に、通信制御エリアで使用可能な通信回線による通信制御装置１００との接続が切断された場合には、インターネット接続が切断された旨をユーザに通知してもよい。
【００４１】
充電部２３０は、ＵＳＢ接続の有線ＬＡＮを介して、受送電部１３０から受電した直流電力を充電する。それにより、通信制御装置１００と通信機器２００とがＵＳＢ接続の有線ＬＡＮを介して接続されている場合には、通信制御装置１００は通信機器２００が通信制御エリア内にある間中、電波を使用する通信機能の制御を途切れることなく継続することができる。
【００４２】
図３は、本発明に係る通信制御システムにおける通信停止処理フローを示す図である。
【００４３】
まず、ステップＳ１において、通信制御管理部１２０は、接続の確立要求を、通信制御エリア内にある通信機器２００に装置通信部１１０を介して送信して、通信機器２００との接続を確立する。
【００４４】
次に、ステップＳ２において、通信制御管理部１２０は、ステップＳ１で接続を確立した通信機器２００に、通信制御エリア内で使用が制限される通信回線を介した通信を停止させる停止信号を、装置通信部１１０を介して送信する。
【００４５】
次に、ステップＳ３において、通信制御実行部２２０は、通信制御エリアで使用可能な通信回線および機器通信部２１０を介して、通信制御装置１００から停止信号を受信したことに応じて、機器通信部２１０の使用が制限される通信回線を介した通信を停止する。
【００４６】
次に、ステップＳ４において、通信制御実行部２２０は、通信制御エリアで使用が制限される通信回線を介した通信を停止した旨を、通信制御装置１００に送信する。
【００４７】
次に、ステップＳ５において、通信制御管理部１２０は、通信機器２００から通信制御エリアで使用が制限される通信回線を介した通信を停止した旨の通知を受信したか否かを判断する。通知を受信したと判断した場合には、ステップＳ６に処理を進め、一方、通知を受信していないと判断した場合には、ステップＳ２に処理を戻す。
【００４８】
次に、ステップＳ６において、通信制御管理部１２０は、通信制御装置１００を介した通信機器２００のインターネット接続を確立する。
【００４９】
図４は、本発明に係る通信制御システム１における通信再開処理フローを示す図である。本処理は、ユーザが、通信機器２００に対して、使用が制限される通信回線を介した通信の停止を解除する操作を行ったことに応じて、開始する。また、通信機器２００は、通信制御エリアの位置情報を通信制御装置１００から受信し、記憶している。
【００５０】
まず、ステップＳ１１において、通信制御実行部２２０は、自機器である通信機器２００の位置情報を、ＧＰＳ機能等を用いて取得する。
【００５１】
次に、ステップＳ１２において、通信制御実行部２２０は、通信制御装置１００から受信した通信制御エリアの位置情報と、ステップＳ１１で取得した通信機器２００の位置情報とに基づいて、通信機器２００が通信制御エリア外にあるか否かを判断する。通信機器２００が通信制御エリア外にあると判断した場合（ＹＥＳ）には、ステップＳ１３に処理を進め、一方、通信機器２００が通信制御エリア内にあると判断した場合（ＮＯ）には、ステップＳ１４に処理を進める。
【００５２】
次に、ステップＳ１３において、通信制御実行部２２０は、機器通信部２１０における使用が制限される通信回線を介した通信の停止を解除する。
【００５３】
次に、ステップＳ１４において、通信制御実行部２２０は、機器通信部２１０における使用が制限される通信回線を介した通信の停止を解除せず、使用が制限される通信回線を介した通信の停止を解除できない旨や、通信制御エリア外で操作を行うようにユーザに通知する。
【００５４】
以上、説明したように、本実施形態によれば、通信制御エリアで使用可能な通信回線を介した通信を用いて、通信機器に対し、通信制御エリアで使用が制限される通信回線を介した通信を停止させたり、再開させたりする制御をすることができる。また、通信制御エリアで使用が制限される通信回線を介した通信を停止した通信機器が、通信制御装置を介してインターネット接続ができることにより、データ通信やＩＰ経由の音声通話が可能となる。
【００５５】
なお、通信制御システムの処理をコンピュータシステムが読み取り可能な記録媒体に記録し、この記録媒体に記録された通信制御システムに読み込ませ、実行することによって本発明の通信制御システムを実現することができる。ここでいうコンピュータシステムとは、ＯＳや周辺装置等のハードウェアを含む。
【００５６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００５７】
また、上記プログラムは、前述した機能の一部を実現するためのものであってもよい。更に、前述した機能をコンピュータシステムにすでに記録されているプログラムとの組み合せで実現できるもの、いわゆる差分ファイル（差分プログラム）であってもよい。
【００５８】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００５９】
１      通信制御システム
１００  通信制御装置
１１０  装置通信部
１２０  通信制御管理部
１３０  受送電部
２００  通信機器
２１０  機器通信部
２２０  通信制御実行部
２３０  充電部
【図１】
2015088791.tif 000003
【図２】
2015088791.tif 000004
【図３】
2015088791.tif 000005
【図４】
2015088791.tif 000006